(57)【要約】      （修正有）【課題】跳ね上げ式スチール製椅子を提供する。【解決手段】本考案の跳ね上げ式スチール製椅子は、本体１０と背もたれ部２０と座部３０とを含み、該本体が２つの後方脚部１２１を有し、鉄板で製造される該座部が跳ね上げられ、該後方脚部が折られ、本考案が折り畳まれた後に占める空間を少なくし、該座部が該座り位置までに回転されることに伴って２つの該後方脚部が該展開位置までに回転されると、該座部の底部辺縁３１が２つの該後方脚部の頂部に当接し、該座部の該底部辺縁の中心線が２つの該後方脚部の頂部の中心線に合せ、補強構造が一体成型で該座部３０の底部に横方向に延びられ、これにより、該座部が２つの該後方脚部の重心に力を集中して加えることができ、２つの該後方脚部が該座部を支持する効果を有効に高め、該補強構造が該座部の構造強度を増加し、使用者の体重がかなり重くて長い間に本考案を座っても、２つの該後方脚部が変形も裂けも発生せず、該座部が陥凹や変形を発生しない。【選択図】図１
0003213951.tif 000002
【実用新案登録請求の範囲】
【請求項１】
本体と背もたれ部と座部とを含み、
該本体が第一支承体と第二支承体とを含み、該第一支承体が１つの逆Ｕ字型枠体と該逆Ｕ字型枠体の両端より下方へ延びる２つの前方脚部とを有し、該第二支承体が２つの後方脚部を有し、２つの該後方脚部が２つの該前方脚部の内側にそれぞれに枢設されて該前方脚部に対して展開位置と折り畳み位置との間に回転され、
該背もたれ部が該逆Ｕ字型枠体の内側に設けられ、
該座部が鉄板であり、２つの該前方脚部の内側に枢設されて該第一支承部に対して座り位置と折り位置との間に回転され、その底部辺縁の幅が２つの該後方脚部の頂部の幅より小さく、該座部が該座り位置までに回転されることに伴って２つの該後方脚部が該展開位置までに回転されると、該座部の該底部辺縁が２つの該後方脚部の頂部に当接し、該座部の該底部辺縁の中心線が２つの該後方脚部の頂部の中心線に合せることを特徴とする跳ね上げ式スチール製椅子。
【請求項２】
該座部の該底部辺縁が下方へ延びられ、そして内側へ曲げられてカール構造になり、該座部が該座り位置までに回転されることに伴って２つの該後方脚部が該展開位置までに回転されると、該座部の該底部辺縁の該カール構造が２つの該後方脚部の頂部に当接し、該座部の該底部辺縁の該カール構造の底端の中心線が２つの該後方脚部の頂部の中心線に合せることを特徴とする請求項１に記載の跳ね上げ式スチール製椅子。
【請求項３】
さらに一体成型で該座部の底部に横方向に延びられる補強構造を含むことを特徴とする請求項２に記載の跳ね上げ式スチール製椅子。
【請求項４】
該補強構造が連接部と、２つの湾曲部と、２つの延伸部とを含み、該連接部が該座部の底部に横方向に延びられ、２つの該湾曲部がそれぞれに該連接部の両端より後方へ曲げられ、２つの該延伸部がそれぞれに２つの該湾曲部より該連接部の一端を離れ、該座部の該底部辺縁の内側に延びられて該カール構造の上方に位置されることを特徴とする請求項３に記載の跳ね上げ式スチール製椅子。
【請求項５】
該連接部と該座部の前側との距離がＤ１であり、該連接部と該座部の後側との距離がＤ２であり、Ｄ１がＤ２より大きいことを特徴とする請求項４に記載の跳ね上げ式スチール製椅子。
【請求項６】
Ｄ１が１/４Ｄ２であることを特徴とする請求項５に記載の跳ね上げ式スチール製椅子。
【請求項７】
各該後方脚部が上方支持部と、下方支持部と、強化構造と、緩衝クッションとを含み、該上方支持部が該下方支持部の外側に設けられ、上方へ延びられて２つの該前方脚部の内側に枢設され、該強化構造が該上方支持部の内側に設けられてその頂部が該上方支持部の頂部に揃えられ、該緩衝クッションが該強化構造の頂部と該上方支持部の頂部を共に包んで２つの該後方脚部の頂部として定義され、該強化構造と該上方支持部がそれぞれに該緩衝クッションの中心線の両側に位置され、該強化構造の外側面が該上方支持部の内側面に当接して該緩衝クッションの中心線に合せるため、該緩衝クッションの中心線が該後方脚部の頂部の中心線とすることを特徴とする請求項１〜請求項６のいずれかに記載の跳ね上げ式スチール製椅子。
【請求項８】
該第一支承体がリミットレバーと２つのバッフルプレートとを含み、該リミットレバーが一体成型で２つの該前方脚部の間に設けられ、２つの該バッフルプレートがそれぞれに一体成型で２つの該前方脚部の内側に設けられ、２つの該下方支持部がそれぞれに該リミットレバーと２つの該バッフルプレートとの間に位置され、該座部が該座り位置までに回転されることに伴って２つの該後方脚部が該展開位置までに回転されると、２つの該下方支持部が該リミットレバーに当接し、該座部が該折り位置までに回転されることに伴って２つの該後方脚部が該折り畳み位置までに回転されると、該座部の該底部辺縁が垂直に２つの該バッフルプレートに当接しつつ、２つの該下方支持部が垂直に２つの該バッフルプレートに当接することを特徴とする請求項７に記載の跳ね上げ式スチール製椅子。
【請求項９】
２つの該下方支持部の一側にそれぞれに突起が設けられ、２つの該突起にそれぞれに凹溝が設けられ、２つの該バッフルプレートがそれぞれに２つの該凹溝の内に位置されることを特徴とする請求項８に記載の跳ね上げ式スチール製椅子。
【請求項１０】
該第二支承体がロッドを含み、該ロッドが一体成型で２つの該強化構造の間に設けられることを特徴とする請求項７に記載の跳ね上げ式スチール製椅子。 
【考案の詳細な説明】
【技術分野】
【０００１】
本考案は椅子に関し、特に跳ね上げ式スチール製椅子に関する。
【背景技術】
【０００２】
普通のスチール製椅子は、本体と座部と背もたれ部とを含む。その本体は、第一支承体と２つの後方脚部を含み、該座部が鉄板であり、一体成型で該第一支承体の内側に設けられ、該背もたれ部が該第一支承体の内側に設けられて該座部の上方に位置される。
【０００３】
しかしながら、従来のスチール製椅子の座部と第一支承体とが一体成型であるため、折ることができず、収納にかなり空間を占め、運びも容易ではない。
【０００４】
なお、従来のスチール製椅子の座部の底部辺縁の中心線が２つの該後方脚部の頂部の中心線に合せることがなく、座部が２つの該後方脚部の重心に力を集中して加えることができず、使用者の体重がかなり重くて長い間に本考案を座るならば、２つの該後方脚部が変形も裂けも発生しやすい。
【０００５】
さらに、従来のスチール製椅子の座部が鉄板であり、その面積が広く、その構造強度がやや不足であり、また、２つの該後方脚部がただ座部の底部の両側に当接し、その支持効果がわずかであり、使用者の体重がかなり重くて長い間に本考案を座るならば、該座部が陥凹や変形を発生しやすい。
【先行技術文献】
【特許文献】
【０００６】
【特許文献１】特開2010-94192号公報
【考案の概要】
【考案が解決しようとする課題】
【０００７】
本考案の主な目的は、その座部が上方へ跳ね上げられ、２つの後方脚部が折られることで、本考案が折り畳まれた後に占める空間を少なくし、収納空間を節約し、運びにも便利である跳ね上げ式スチール製椅子を提供することにある。
【０００８】
本考案のもう一つの目的は、その座部が２つの該後方脚部の重心に力を集中して加えることができ、２つの該後方脚部が座部を支持する効果を有効に高め、使用者の体重がかなり重くて長い間に本考案を座っても、２つの該後方脚部が変形も裂けも発生しない跳ね上げ式スチール製椅子を提供することにある。
【０００９】
本考案のさらにもう一つの目的は、その補強構造が座部の構造強度を増加し、使用者の体重がかなり重くて長い間に本考案を座っても、該座部が陥凹や変形を発生しない跳ね上げ式スチール製椅子を提供することにある。
【課題を解決するための手段】
【００１０】
上述した目的を達成するために、本考案に係る跳ね上げ式スチール製椅子は、本体と背もたれ部と座部とを含む。
【００１１】
該本体が第一支承体と第二支承体とを含み、該第一支承体が１つの逆Ｕ字型枠体と該逆Ｕ字型枠体の両端より下方へ延びる２つの前方脚部とを有し、該第二支承体が２つの後方脚部を有し、２つの該後方脚部が２つの該前方脚部の内側にそれぞれに枢設されて該前方脚部に対して展開位置と折り畳み位置との間に回転される。
【００１２】
該背もたれ部が該逆Ｕ字型枠体の内側に設けられる。
【００１３】
該座部が鉄板であり、２つの該前方脚部の内側に枢設されて該第一支承部に対して座り位置と折り位置との間に回転され、その底部辺縁の幅が２つの該後方脚部の頂部の幅より小さく、該座部が該座り位置までに回転されることに伴って２つの該後方脚部が該展開位置までに回転されると、該座部の該底部辺縁が２つの該後方脚部の頂部に当接し、該座部の該底部辺縁の中心線が２つの該後方脚部の頂部の中心線に合せる。
【００１４】
好ましくは、該座部の該底部辺縁が下方へ延びられ、そして内側へ曲げられてカール構造になり、該座部が該座り位置までに回転されることに伴って２つの該後方脚部が該展開位置までに回転されると、該座部の該底部辺縁の該カール構造が２つの該後方脚部の頂部に当接し、該座部の該底部辺縁の該カール構造の底端の中心線が２つの該後方脚部の頂部の中心線に合せる。
【００１５】
好ましくは、跳ね上げ式スチール製椅子が、さらに一体成型で該座部の底部に横方向に延びられる補強構造を含む。
【００１６】
好ましくは、該補強構造が連接部と、２つの湾曲部と、２つの延伸部とを含み、該連接部が該座部の底部に横方向に延びられ、２つの該湾曲部がそれぞれに該連接部の両端より後方へ曲げられ、２つの該延伸部がそれぞれに２つの該湾曲部より該連接部の一端を離れ、該座部の該底部辺縁の内側に延びられて該カール構造の上方に位置される。
【００１７】
好ましくは、該連接部と該座部の前側との距離がＤ１であり、該連接部と該座部の後側との距離がＤ２であり、Ｄ１がＤ２より大きい。
【００１８】
好ましくは、Ｄ１が１/４Ｄ２である。
【００１９】
好ましくは、各該後方脚部が上方支持部と、下方支持部と、強化構造と、緩衝クッションとを含み、該上方支持部が該下方支持部の外側に設けられ、上方へ延びられて２つの該前方脚部の内側に枢設され、該強化構造が該上方支持部の内側に設けられてその頂部が該上方支持部の頂部に揃えられ、該緩衝クッションが該強化構造の頂部と該上方支持部の頂部を共に包んで２つの該後方脚部の頂部として定義され、該強化構造と該上方支持部がそれぞれに該緩衝クッションの中心線の両側に位置され、該強化構造の外側面が該上方支持部の内側面に当接して該緩衝クッションの中心線に合せるため、該緩衝クッションの中心線が該後方脚部の頂部の中心線とする。
【００２０】
好ましくは、該第一支承体がリミットレバーと２つのバッフルプレートとを含み、該リミットレバーが一体成型で２つの該前方脚部の間に設けられ、２つの該バッフルプレートがそれぞれに一体成型で２つの該前方脚部の内側に設けられ、２つの該下方支持部がそれぞれに該リミットレバーと２つの該バッフルプレートとの間に位置され、該座部が該座り位置までに回転されることに伴って２つの該後方脚部が該展開位置までに回転されると、２つの該下方支持部が該リミットレバーに当接し、該座部が該折り位置までに回転されることに伴って２つの該後方脚部が該折り畳み位置までに回転されると、該座部の該底部辺縁が垂直に２つの該バッフルプレートに当接しつつ、２つの該下方支持部が垂直に２つの該バッフルプレートに当接する。
【００２１】
好ましくは、２つの該下方支持部の一側にそれぞれに突起が設けられ、２つの該突起にそれぞれに凹溝が設けられ、２つの該バッフルプレートがそれぞれに２つの該凹溝の内に位置される。
【００２２】
好ましくは、該第二支承体がロッドを含み、該ロッドが一体成型で２つの該強化構造の間に設けられる。
【考案の効果】
【００２３】
本考案の効果は、座部を上方へ跳ね上げることができ、２つの該後方脚部を折ることもできることにより、本考案が折り畳まれた後に占める空間を少なくし、収納空間を節約し、運びにも便利である。なお、座部が２つの該後方脚部の重心に力を集中して加えることができ、２つの該後方脚部が座部を支持する効果を有効に高め、使用者の体重がかなり重くて長い間に本考案を座っても、２つの該後方脚部が変形も裂けも発生しない。さらに、補強構造が座部の構造強度を増加し、使用者の体重がかなり重くて長い間に本考案を座っても、該座部が陥凹や変形を発生しない。
【図面の簡単な説明】
【００２４】
【図１】本考案に係る跳ね上げ式スチール製椅子を示す斜面図である。
【図２】本考案に係る跳ね上げ式スチール製椅子の他の視点によって示す斜面図である。
【図３】本考案に係る跳ね上げ式スチール製椅子を示す分解図である。
【図４】本考案に係る跳ね上げ式スチール製椅子の座部の底部と後方脚部の頂部を示す底面図である。
【図５Ａ】本考案に係る跳ね上げ式スチール製椅子の座部と後方脚部を示す側面図である。
【図５Ｂ】図５Ａに示すＡ−Ａ線に沿って見た断面図である。
【図６】本考案に係る跳ね上げ式スチール製椅子の座部の底部辺縁の中心線が後方脚部の頂部の中心線を合せる状態を示す図である。
【図７】本考案に係る跳ね上げ式スチール製椅子を示す側面断面図である。
【図８】本考案に係る跳ね上げ式スチール製椅子の座部が跳ね上げられる状態を示す図である。
【図９】本考案に係る跳ね上げ式スチール製椅子の座部がバッフルプレートに当接する状態を示す図である。
【図１０】本考案に係る跳ね上げ式スチール製椅子の座部と後方脚部が共にバッフルプレートに当接する状態を示す図である。
【考案を実施するための形態】
【実施例】
【００２５】
当領域の技術を熟知する者が本考案に係る発明を実施することができるように、以下、本考案の実施形態について添付図面と符号を組み合わせて詳細に説明する。
【００２６】
図１から図７までを参照し、図１は本考案に係る跳ね上げ式スチール製椅子を示す斜面図であり、図２は本考案に係る跳ね上げ式スチール製椅子の他の視点によって示す斜面図であり、図３は本考案に係る跳ね上げ式スチール製椅子を示す分解図であり、図４は本考案に係る跳ね上げ式スチール製椅子の座部の底部と後方脚部の頂部を示す底面図であり、図５Ａは本考案に係る跳ね上げ式スチール製椅子の座部と後方脚部を示す側面図であり、図５Ｂは図５Ａに示すＡ−Ａ線に沿って見た断面図であり、図６は本考案に係る跳ね上げ式スチール製椅子の座部の底部辺縁の中心線が後方脚部の頂部の中心線を合せる状態を示す図であり、図７は本考案に係る跳ね上げ式スチール製椅子を示す側面断面図である。本考案は、本体１０と背もたれ部２０と座部３０とを含む跳ね上げ式スチール製椅子を提供することにある。
【００２７】
該本体１０が第一支承体１１と第二支承体１２とを含む。該第一支承体１１が１つの逆Ｕ字型枠体１１１と２つの前方脚部１１２とを有し、２つの該前方脚部１１２が該逆Ｕ字型枠体１１１の両端より下方へ延びる。該第二支承体１２が２つの後方脚部１２１を有し、２つの該後方脚部１２１が２つの該前方脚部１１２の内側にそれぞれに枢設されて該前方脚部１１２に対して展開位置と折り畳み位置との間に回転され、図１及び図１０のように示す。
さらに詳細に説明すると、各該後方脚部１２１が上方支持部１２１１と、下方支持部１２１２と、強化構造１２１３と、緩衝クッション１２１４とを含み、図１及び図２のように示す。該上方支持部１２１１が該下方支持部１２１２の外側に設けられ、上方へ延びられて２つの該前方脚部１１２の内側に枢設される。該強化構造１２１３が該上方支持部１２１１の内側に設けられてその頂部が該上方支持部１２１１の頂部に揃えられる。該緩衝クッション１２１４が該強化構造１２１３の頂部と該上方支持部１２１１の頂部を共に包んで２つの該後方脚部１２１の頂部として定義され、図１、図２、図５Ａ、及び図５Ｂのように示す。該強化構造１２１３と該上方支持部１２１１がそれぞれに該緩衝クッション１２１４の中心線Ｌ１の両側に位置され、該強化構造１２１３の外側面が該上方支持部１２１１の内側面に当接して該緩衝クッション１２１４の中心線Ｌ１に合せるため、該緩衝クッション１２１４の中心線Ｌ１が該後方脚部１２１の頂部の中心線Ｌ１とし、図５Ｂ及び図６のように示す。該第二支承体１２がロッド１２２を含み、該ロッド１２２が一体成型で２つの該強化構造１２１３の間に設けられ、図２のように示す。
【００２８】
該背もたれ部２０が該逆Ｕ字型枠体１１１の内側に設けられ、図１のように示す。
【００２９】
該座部３０が鉄板であり、２つの該前方脚部１１２の内側に枢設されて該第一支承部１１に対して座り位置と折り位置との間に回転され、図１、図８から図１０までのように示す。該座部３０の底部辺縁３１の幅が２つの該後方脚部１２１の頂部の幅より小さく、該座部３０が該座り位置までに回転されることに伴って２つの該後方脚部１２１が該展開位置までに回転されると、該座部３０の該底部辺縁３１が２つの該後方脚部１２１の頂部に当接し、該座部３０の該底部辺縁３１の中心線が２つの該後方脚部１２１の頂部の中心線に合せ、図４から図６までように示す。さらに明確に説明すると、該座部３０の該底部辺縁３１が下方へ延びられ、そして内側へ曲げられてカール構造３１１になり、該座部３０が該座り位置までに回転されることに伴って２つの該後方脚部１２１が該展開位置までに回転されると、該座部３０の該底部辺縁３１の該カール構造３１１が２つの該後方脚部１２１の頂部に当接し、該座部３０の該底部辺縁３１の該カール構造３１１の底端の中心線が２つの該後方脚部１２１の頂部の中心線に合せ、図４から図６までのように示す。これにより、該座部３０が２つの該後方脚部１２１の重心に力を集中して加えることができ、２つの該後方脚部１２１が該座部３０を支持する効果を有効に高め、使用者の体重がかなり重くて長い間に本考案を座っても、２つの該後方脚部１２１が変形も裂けも発生しない。
【００３０】
なお、２つの該強化構造１２１３が２つの該上方支持部１２１１と共に該座部３０からの下押し圧力の半分を負担し、即ち使用者の重心が該座部３０の一側に偏っても、その１つの該強化構造１２１３が該座部３０の下押し圧力の部分を、該ロッド１２２と他の該強化構造１２１３を通じて他の該後方脚部１２１の該上方支持部１２１１に伝送し、該座部３０の下押し圧力が過度に単一の該後方脚部１２１の該上方支持部１２１１に集中することを避け、単一の該後方脚部１２１の該上方支持部１２１１が変形も裂けも発生する恐れを低下することができる。
【００３１】
好ましい実施例において、本考案に係る跳ね上げ式スチール製椅子が、さらに一体成型で該座部３０の底部に横方向に延びられる補強構造４０を含み、図２、図４、及び図５Ｂのように示す。具体的に説明すると、該補強構造４０が連接部４１と、２つの湾曲部４２と、２つの延伸部４３とを含み、該連接部４１が該座部３０の底部に横方向に延びられ、２つの該湾曲部４２がそれぞれに該連接部４１の両端より後方へ曲げられ、２つの該延伸部４３がそれぞれに２つの該湾曲部４２より該連接部４１の一端を離れ、該座部３０の該底部辺縁３１の内側に延びられて該カール構造３１１の上方に位置される。これにより、補強構造４０が該座部３０の構造強度を増加し、使用者の体重がかなり重くて長い間に本考案を座っても、該座部３０が陥凹や変形を発生しない。好ましくは、該連接部４１と該座部３０の前側との距離がＤ１であり、該連接部４１と該座部３０の後側との距離がＤ２であり、Ｄ１がＤ２より大きいことにより、該補強構造４０が該座部３０の強度を増加する効果はもっとよくなり、図４のように示す。特にＤ１が１/４Ｄ２であると、該補強構造４０が該座部３０の強度を増加する効果は望ましい。
【００３２】
また、該第一支承体１１がさらにリミットレバー１１３と２つのバッフルプレート１１４とを含み、該リミットレバー１１３が一体成型で２つの該前方脚部１１２の間に設けられ、２つの該下方支持部１２１２の一側にそれぞれに突起１２１２１が設けられ、２つの該突起１２１２１にそれぞれに凹溝１２１２２が設けられ、２つの該バッフルプレート１１４がそれぞれに一体成型で２つの該前方脚部１１２の内側に設けられて２つの該凹溝１２１２２の内に位置され、２つの該下方支持部１２１２がそれぞれに該リミットレバー１１３と２つの該バッフルプレート１１４との間に位置されることにより、該座部３０と２つの該後方脚部１２１の回転範囲を制限し、図３及び図７から図１０までのように示す。図１及び図７を参照し、該座部３０が該座り位置までに回転されることに伴って２つの該後方脚部１２１が該展開位置までに回転されると、２つの該下方支持部１２１２が該リミットレバー１１３に当接する。図８から図１０までを参照し、該座部３０が該折り位置までに回転されることに伴って２つの該後方脚部１２１が該折り畳み位置までに回転されると、該座部３０の該底部辺縁３１が垂直に２つの該バッフルプレート１１４に当接しつつ、２つの該下方支持部１２１２が垂直に２つの該バッフルプレート１１４に当接することにより、本考案が折り畳まれた後に占める空間を少なくし、収納空間を節約し、運びにも便利である。
【００３３】
以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【符号の説明】
【００３４】
１０……本体
１１……第一支承体
１１１……逆Ｕ字型枠体
１１２……前方脚部
１１３……リミットレバー
１１４……バッフルプレート
１２……第二支承体
１２１……後方脚部
１２１１……上方支持部
１２１２……下方支持部
１２１２１……突起
１２１２２……凹溝
１２１３……強化構造
１２１４……緩衝クッション
１２２……ロッド
２０……背もたれ部
３０……座部
３１……底部辺縁
３１１……カール構造
４０……補強構造
４１……連接部
４２……湾曲部
４３……延伸部
Ｄ１〜Ｄ２……距離
Ｌ１……中心線
【図１】
0003213951.tif 000003
【図２】
0003213951.tif 000004
【図３】
0003213951.tif 000005
【図４】
0003213951.tif 000006
【図５Ａ】
0003213951.tif 000007
【図５Ｂ】
0003213951.tif 000008
【図６】
0003213951.tif 000009
【図７】
0003213951.tif 000010
【図８】
0003213951.tif 000011
【図９】
0003213951.tif 000012
【図１０】
0003213951.tif 000013
【手続補正書】
【提出日】平成29年10月18日(2017.10.18)
【手続補正１】
【補正対象書類名】実用新案登録請求の範囲
【補正対象項目名】全文
【補正方法】変更
【補正の内容】
【実用新案登録請求の範囲】
【請求項１】
本体と背もたれ部と座部とを含み、
該本体が第一支承体と第二支承体とを含み、該第一支承体が１つの逆Ｕ字型枠体と該逆Ｕ字型枠体の両端より下方へ延びる２つの前方脚部とを有し、該第二支承体が２つの後方脚部を有し、２つの該後方脚部が２つの該前方脚部の内側にそれぞれに枢設されて該前方脚部に対して展開位置と折り畳み位置との間に回転され、
該背もたれ部が該逆Ｕ字型枠体の内側に設けられ、
該座部が鉄板であり、２つの該前方脚部の内側に枢設されて該第一支承体に対して座り位置と折り位置との間に回転され、その底部辺縁の幅が２つの該後方脚部の頂部の幅より小さく、該座部が該座り位置までに回転されることに伴って２つの該後方脚部が該展開位置までに回転されると、該座部の該底部辺縁が２つの該後方脚部の頂部に当接し、該座部の該底部辺縁の中心線が２つの該後方脚部の頂部の中心線に合せることを特徴とする跳ね上げ式スチール製椅子。
【請求項２】
該座部の該底部辺縁が下方へ延びられ、そして内側へ曲げられてカール構造になり、該座部が該座り位置までに回転されることに伴って２つの該後方脚部が該展開位置までに回転されると、該座部の該底部辺縁の該カール構造が２つの該後方脚部の頂部に当接し、該座部の該底部辺縁の該カール構造の底端の中心線が２つの該後方脚部の頂部の中心線に合せることを特徴とする請求項１に記載の跳ね上げ式スチール製椅子。
【請求項３】
さらに一体成型で該座部の底部に横方向に延びられる補強構造を含むことを特徴とする請求項２に記載の跳ね上げ式スチール製椅子。
【請求項４】
該補強構造が連接部と、２つの湾曲部と、２つの延伸部とを含み、該連接部が該座部の底部に横方向に延びられ、２つの該湾曲部がそれぞれに該連接部の両端より後方へ曲げられ、２つの該延伸部がそれぞれに２つの該湾曲部より該連接部の一端を離れ、該座部の該底部辺縁の内側に延びられて該カール構造の上方に位置されることを特徴とする請求項３に記載の跳ね上げ式スチール製椅子。
【請求項５】
該連接部と該座部の前側との距離がＤ１であり、該連接部と該座部の後側との距離がＤ２であり、Ｄ１がＤ２より大きいことを特徴とする請求項４に記載の跳ね上げ式スチール製椅子。
【請求項６】
該連接部と該座部の前側との距離がＤ１であり、該連接部と該座部の後側との距離がＤ２であり、Ｄ１が１/４Ｄ２であることを特徴とする請求項４に記載の跳ね上げ式スチール製椅子。
【請求項７】
各該後方脚部が上方支持部と、下方支持部と、強化構造と、緩衝クッションとを含み、該上方支持部が該下方支持部の外側に設けられ、上方へ延びられて２つの該前方脚部の内側に枢設され、該強化構造が該上方支持部の内側に設けられてその頂部が該上方支持部の頂部に揃えられ、該緩衝クッションが該強化構造の頂部と該上方支持部の頂部を共に包んで２つの該後方脚部の頂部として定義され、該強化構造と該上方支持部がそれぞれに該緩衝クッションの中心線の両側に位置され、該強化構造の外側面が該上方支持部の内側面に当接して該緩衝クッションの中心線に合せるため、該緩衝クッションの中心線が該後方脚部の頂部の中心線とすることを特徴とする請求項１〜請求項６のいずれかに記載の跳ね上げ式スチール製椅子。
【請求項８】
該第一支承体がリミットレバーと２つのバッフルプレートとを含み、該リミットレバーが一体成型で２つの該前方脚部の間に設けられ、２つの該バッフルプレートがそれぞれに一体成型で２つの該前方脚部の内側に設けられ、２つの該下方支持部がそれぞれに該リミットレバーと２つの該バッフルプレートとの間に位置され、該座部が該座り位置までに回転されることに伴って２つの該後方脚部が該展開位置までに回転されると、２つの該下方支持部が該リミットレバーに当接し、該座部が該折り位置までに回転されることに伴って２つの該後方脚部が該折り畳み位置までに回転されると、該座部の該底部辺縁が垂直に２つの該バッフルプレートに当接しつつ、２つの該下方支持部が垂直に２つの該バッフルプレートに当接することを特徴とする請求項７に記載の跳ね上げ式スチール製椅子。
【請求項９】
２つの該下方支持部の一側にそれぞれに突起が設けられ、２つの該突起にそれぞれに凹溝が設けられ、２つの該バッフルプレートがそれぞれに２つの該凹溝の内に位置されることを特徴とする請求項８に記載の跳ね上げ式スチール製椅子。
【請求項１０】
該第二支承体がロッドを含み、該ロッドが一体成型で２つの該強化構造の間に設けられることを特徴とする請求項７に記載の跳ね上げ式スチール製椅子。